(57)【要約】【課題】表示板を、比較的小さい操作量で切り替え可能であるとともに、コンパクトで単純に構成する。【解決手段】本発明の表示板は、少なくとも２種類の表示状態を切り替え可能に表示する表示部４と、表示部４の表示状態を切り替える切替機構３とを有する表示板であって、表示部４は、隣接する端部が平面視において一部重なる態様で列状に並べられた短冊状の複数の第１シート４１と、この第１シート４１の背面側にそれぞれ配置され、隣接する端部が平面視において一部重なる態様で列状に並べられた短冊状の複数の第２シート４２とを備えている。【選択図】図４
2011059627.tif 000002
【特許請求の範囲】
【請求項１】
少なくとも２種類の表示状態を切り替え可能に表示する表示部と、
該表示部の表示状態を切り替える切替機構とを有する表示板であって、
前記表示部は、隣接する端部が平面視において一部重なる態様で列状に並べられた短冊状の複数の第１シートと、この第１シートの背面側にそれぞれ配置され、隣接する端部が平面視において一部重なる態様で列状に並べられた短冊状の複数の第２シートとを備え、
前記切替機構は、前記第１シートおよび第２シートのうちの少なくとも一方を、他方に対して前記列方向にスライド可能に支持し、この一方のシートをスライドさせることにより、隣接する第１シートの間から前記第２シートを相対的に進退させるように構成されているとともに、この第２シートの進出状態では当該第２シートにより前記隣接する第１シートのうち進出方向に位置する第１シートを覆い隠すように構成されていることを特徴とする表示板。
【請求項２】
前記切替機構は、前記表示部の表示状態を切り替えるための押圧操作を受ける操作部を含み、
前記切替機構は、前記操作部の前記押圧操作に伴って、前記第１シート群および前記第２シート群の双方を、前記列方向であって、互いに反対の方向にスライドさせるように構成されている請求項１に記載の表示板。
【請求項３】
前記切替機構は、前記表示部の表示状態を切り替えるためのスライド操作を受ける操作部を含み、
前記切替機構は、前記操作部の前記スライド操作に伴って、前記第１シート群および前記第２シート群のうち、一方のシート群のみを、前記列方向にスライドさせるように構成されている請求項１に記載の表示板。
【請求項４】
前記表示部および前記切替機構はケーシング内に収容され、
前記ケーシングは、前記表示部の周縁部を覆い隠す矩形状の枠体を含み、
前記各シートの幅は、前記枠体の幅より小さくなるように設定されている請求項１〜３のいずれか１項に記載の表示板。
【発明の詳細な説明】
【技術分野】
【０００１】
本発明は、少なくとも２種類の表示状態を切り替えて表示可能な表示板に関する。
【背景技術】
【０００２】
従来、複数の表示状態を切り替えて表示する表示板が知られている。
【０００３】
特許文献１には、それぞれ異なる表示項目が表示された２枚の板状体を設け、手動で２パターンの表示状態を切り替えることができるツーパターン表示板が開示されている。このなかで、２枚の板状体が重ね合わされた状態で設けられ、切り替え時には、前面側に配置された一方の板状体（特許文献１におけるスライド板）をスライド移動させて、この一方の板状体の背面側に配設された他方の板状体（特許文献１における外枠の内壁）に表示された内容を正面に露出させることが説明されている。
【先行技術文献】
【特許文献】
【０００４】
【特許文献１】実開平６−５００７６号公報
【発明の概要】
【発明が解決しようとする課題】
【０００５】
しかしながら、上記従来の技術では、切り替え時に、一方の板状体を、その大きさに応じた距離だけスライド移動させる必要があるため、切り替えに伴う操作量が大きくなるだけでなく、この一方の板状体のスライド前の配置空間に加えて、スライド後の配置空間を確保する必要が生じ、表示板全体が大型化する傾向があるという問題がある。
【０００６】
本発明は、上記従来の問題に鑑みてなされたものであり、比較的小さい操作量で切り替え可能であるとともに、コンパクトで単純に構成することができる表示板を提供することを目的としている。
【課題を解決するための手段】
【０００７】
本発明の表示板は、少なくとも２種類の表示状態を切り替え可能に表示する表示部と、該表示部の表示状態を切り替える切替機構とを有する表示板であって、前記表示部は、隣接する端部が平面視において一部重なる態様で列状に並べられた短冊状の複数の第１シートと、この第１シートの背面側にそれぞれ配置され、隣接する端部が平面視において一部重なる態様で列状に並べられた短冊状の複数の第２シートとを備え、前記切替機構は、前記第１シートおよび第２シートのうちの少なくとも一方を、他方に対して前記列方向にスライド可能に支持し、この一方のシートをスライドさせることにより、隣接する第１シートの間から前記第２シートを相対的に進退させるように構成されているとともに、この第２シートの進出状態では当該第２シートにより前記隣接する第１シートのうち進出方向に位置する第１シートを覆い隠すように構成されていることを特徴とする。
【０００８】
この発明によれば、表示部は、隣接する端部が平面視において一部重なる態様で列状に並べられた短冊状の複数の第１シートと、この各第１シートの背面側にそれぞれ配置され、隣接する端部が平面視において一部重なる態様で列状に並べられた短冊状の複数の第２シートとを備えるので、少なくとも２種類の表示状態をこれらの第１または第２シートにより領域を分割して表示させることができる。そして、前記切替機構は、前記第１シートおよび第２シートのうち少なくとも一方を、他方に対して前記列方向にスライド可能に支持し、この一方のシートをスライドさせることにより、隣接する第１シートの間から前記第２シートを相対的に進退させるように構成されているとともに、この第２シートの進出状態では当該第２シートにより前記隣接する第１シートのうち進出方向に位置する第１シートを覆い隠すように構成されているので、前記分割構成された表示状態を分割された領域毎に表示状態を切り替えることができる。すなわち、第１シートが前面に露出する第１の表示状態と、第２シートが前面に露出する第２の表示状態を、それぞれ各シートに対応する領域毎に分割して構成することができ、この領域毎に表示状態を切り替えることができる。
【０００９】
このため、表示部によって表示される領域が比較的広くても、この領域の一端から他端にかけて順次表示状態を切り替える必要がなく、各短冊状のシートに対応する領域毎に表示状態を切り替えるので、スライドストロークが短くて済み、表示状態が１枚のシートから構成される従来の表示板に比べて、小さい操作量で表示状態を切り替えることができる。しかも、短冊状の第２シートが同じく短冊状の第１シートの背面側に配置することができるので、第２シートの隠蔽のための空間を比較的小さくすることができ、コンパクトに構成することができる。すなわち、表示部の表示状態を短冊状の第１および第２シートにより構成するという簡単な構成で、コンパクトかつ小さい操作量で表示状態を切り替え可能な表示板を構成することができる。
【００１０】
前記切替機構は、前記表示部の表示状態を切り替えるための押圧操作を受ける操作部を含み、前記切替機構は、前記操作部の前記押圧操作に伴って、前記第１シート群および前記第２シート群の双方を、前記列方向であって、互いに反対の方向にスライドさせるように構成されていることが好ましい。
【００１１】
この発明によれば、第１シート群および第２シート群の双方を反対方向にスライドさせることで、一方をスライドさせる場合に比べて各シート群のスライドストロークを更に短くすることができ、表示板を一層コンパクトにすることができる。しかも、スライドストロークが短いので、比較的操作量が小さい押圧操作によっても表示部の表示状態を機械的構成だけで切り替えることができる。
【００１２】
また、前記切替機構は、前記表示部の表示状態を切り替えるためのスライド操作を受ける操作部を含み、前記切替機構は、前記操作部の前記スライド操作に伴って、前記第１シート群および前記第２シート群のうち、一方のシート群のみを、前記列方向にスライドさせるように構成されていてもよい。
【００１３】
この発明によれば、操作部のスライド動作を直接的にシート群に伝達してシート群をスライドさせることができるので、操作部を含む切替機構の構造を全体的に単純化することができる。
【００１４】
また、前記表示部および前記切替機構はケーシング内に収容され、前記ケーシングは、前記表示部の周縁部を覆い隠す矩形状の枠体を含み、前記各シートの幅は、前記枠体を構成する一辺の幅より小さくなるように設定されていることが好ましい。
【００１５】
この発明によれば、列方向最端に設けられたシートが、枠体の幅部分によって覆い隠されるようになる。
【発明の効果】
【００１６】
本発明の表示板によれば、比較的小さい操作量で切り替え可能であるとともに、コンパクトで単純に構成することができる。
【図面の簡単な説明】
【００１７】
【図１】実施の形態１の表示板の斜視図であり、第１の表示状態を示す。
【図２】実施の形態１の表示板の斜視図であり、第２の表示状態を示す。
【図３】実施の形態１の表示板の分解斜視図である。
【図４】第１シートおよび第２シートの配設状態を説明する斜視図である。
【図５】実施の形態１の表示板の内部構造を説明するための平面図であり、第１シートが第２シートの上面を覆っている状態を示す。
【図６】図５の状態におけるＶＩ−ＶＩ線断面図であり、カバーと操作部とが設けられた状態を示す。
【図７】実施の形態１の表示板の内部構造を説明するための平面図であり、第１シートが第２シートの下面に隠れるように往復運動部材をスライドさせた状態を示す。
【図８】図７の状態におけるＶＩＩＩ−ＶＩＩＩ線断面図であり、カバーと操作部とが設けられた状態を示す。
【図９】実施の形態１の表示板における、第１シートの動きと第２シートの動きとを説明するための断面図であり、（ａ）は第１シートが第２シートの上面を覆っている状態を示し、（ｂ）は往復運動部材がスライドして第１シートが第２シートの下面に隠れた状態を示す。
【図１０】実施の形態２の表示板の内部構造を説明するための平面図であり、第１シートが第２シートの上面を覆っている状態を示す。
【図１１】実施の形態２の表示板の内部構造を説明するための平面図であり、第１シートが第２シートの下面に隠れるように往復運動部材をスライドさせた状態を示す。
【発明を実施するための形態】
【００１８】
以下で、本実施の形態の表示板について、図面を用いて詳細に説明する。
【００１９】
（実施の形態１）
図１および図２は、実施の形態１の表示板１００の斜視図であり、図１は、第１の表示状態を示し、図２は、第２の表示状態を示す。図３は、表示板１００の分解斜視図である。図４は、第１シート４１および第２シート４２の配設状態を説明する斜視図である。
【００２０】
実施の形態１の表示板１００は、図１〜図４に示されるように、２種類の表示状態を示す表示部４と、表示部４の表示状態を切り替える切替機構３とを有する。表示板１００は、前面に文字が表示され、その背景色を切り替えることによりその文字の肯定と否定とを切り替えるように構成されている。すなわち、この表示板１００は、第１の表示状態では、図１に示されるように、表示された文字列の背景が白色の表示状態になり、これにより文字列の意味を否定する状態（図示の例では使用中でない状態）を表わす。また、第２の表示状態では、図２に示されるように、表示された文字列の背景が赤色（点影で示される）の表示状態になり、これにより文字列の意味を肯定する状態（図示の例では使用中である状態）を表わす。こうして、２種類の表示状態が切り替えられて表示される。
【００２１】
これらの部品は、上方に開口する収容箱２とこの開口部に装着されるカバー７とからなるケーシング内の所定の位置に収容される。具体的には、平面視で長方形状を呈した収容箱２内に、切替機構３を位置決めする段部２１、軸支部２２、軸装着孔２ａ（図６、図８参照）などが形成され、収容箱２内で、切替機構３および表示部４が、所定の位置関係を保ちつつ、所定の動きが許容されるように配置される。そして、ケーシングのカバー７が収容箱２の開口部を覆うように配設されると、カバー７に形成された２箇所の開口７ａ、７ｂのうち、一方の開口７ａから、表示部４が表出し、他方の開口７ｂから、切替機構３（後述の操作スイッチ５）が部分的に突出する。このうち、カバー７の開口７ａは、平面視で矩形状の枠体７１によって構成されている。
【００２２】
以下で、表示部４、切替機構３について、それぞれ詳しく説明する。
【００２３】
表示部４は、カバー７の開口７ａを塞ぐように設けられる透明のクリアパネル６と、短冊状の複数のシートから構成される背景シート４１、４２とを含む。
【００２４】
クリアパネル６には、たとえば、「使用中」等といった白色の文字列が表示されて（たとえば、貼り付けられて）いる。
【００２５】
背景シート４１、４２は、表面が白色を呈した第１シート４１群と、表面が赤色（点影で示す）を呈した第２シート４２群とを含む。
【００２６】
また、第１シート４１群および第２シート４２群を構成する各々のシートには、その一側短辺側に、係合孔４１ａ、４２ａが一対ずつ形成されている。この係合孔４１ａ、４２ａは、第１シート４１および第２シート４２を、切替機構３に対して係合させるための孔である。
【００２７】
そして、第１シート４１は、図３および図４に示されるように、隣接する端部同士が平面視で一部重なる態様で、一方向に列状に並べられている。そして、各第１シート４１の背面側に第２シート４２がそれぞれ配置され、その結果、この第２シート４２も隣接する端部同士が平面視で一部重なる態様で、一方向に列状に並べられている。
【００２８】
具体的には、隣り合う第１シート４１において、それぞれに形成された２つの係合孔４１ａのうち、近接する一方が上下に連通するように、第１シート４１の互いに近接する長辺側端部が重ねられる。そして、第１シート４１に形成された係合孔４１ａが第１シート４１群全体として一列になるように、第１シート４１群は並べられる。また、隣り合う第２シート４２において、それぞれに形成された２つの係合孔４２ａのうち、近接する一方が上下に連通するように、第２シート４２の互いに近接する長辺側端部が重ねられる。そして、第２シート４２に形成された係合孔４２ａが第２シート４２群全体として一列になるように、第２シート４２群は並べられる。
【００２９】
さらに、第１シート４１群は、係合孔４１ａの列が収容箱２の短手方向の一端部に位置するように配置される。また、第２シート４２群は、係合孔４２ａの列が収容箱２の短手方向の他端部に位置するように配置される。このとき、第１シート４１の背面側に第２シート４２が位置するように配置され、この第２シート４２の一端部は、第１シート４１の重合部において、第１シート４１の間に位置する。
【００３０】
また、第１シート４１群、第２シート４２群には、切替機構３などの構造に応じた、平面視でＬ字状を呈したシート４１’、４２’が含まれる（図４参照）。これらのシート４１’、４２’は、シート群の列の最端位置に配置される。
【００３１】
そして、各シート４１、４１’、４２、４２’の幅（シートの短辺の長さ）は、ケーシングのカバー７の枠体７１の幅７１ａより小さくなるように設定されている。これによって、列方向の最端位置に設けられたシートが、枠体７１の幅７１ａ部分によって覆い隠されるようになる。
【００３２】
切替機構３は、図３に示されるように、背景シート４の表示状態を切り替える操作を受ける操作スイッチ（操作部）５と、操作スイッチ５の作動を受けて所定の部位（後述の回動軸３１ｄ）を中心として所定の角度だけ回動するアーム状の動力伝達部材３１と、動力伝達部材３１の一方の端部に係合し、第１シート４１群を支持した（係合させた）状態でスライドさせる第１の往復運動部材３２と、動力伝達部材３１の他方の端部に係合し、第２シート４２群を支持した（係合させた）状態でスライドさせる第２の往復運動部材３３とを含む。すなわち、本実施の形態の切替機構３は、操作を受ける部分である操作部分（操作スイッチ５）と、操作部で受けた操作を所定の方向に変換する変換部分（動力伝達部材３１）と、背景シート４１、４２群を支持する支持部分（第１の往復運動部材３２および第２の往復運動部材３３）とにより構成されている。
【００３３】
操作スイッチ５は、図３に示されるように、側面視で略くの字状を呈した部材である。操作スイッチ５は、操作面部５１と、支持軸５２と、嵌合部５３とを一体に含む。
【００３４】
操作面部５１は、カバー７に形成された開口７ｂから外部に突出する部分であり、操作時には、操作者によって押圧される部分である。操作面部５１は、第１の押圧部５１ａと第１の押圧部５１ａに連続した第２の押圧部５１ｂとを含み、第１の押圧部５１ａと第２の押圧部５１ｂとの境界位置で、操作面部５１が折れ曲がっている。第１の押圧部５１ａが押圧されて押し下げられるか、あるいは、第２の押圧部５１ｂが押圧されて押し下げられるかによって、表示板１００の第１の表示状態と第２の表示状態とが切り替えられる。
【００３５】
支持軸５２は、第１の押圧部５１ａと第２の押圧部５１ｂとの境界部分から、第１の押圧部５１ａおよび第２の押圧部５１ｂの延びる方向に対して直交する方向に突出して形成された軸体である。支持軸５２は、その両端部が、収容箱２に形成された軸支部２２の凹部Ａおよび収容箱２の縁の凹部Ａに配置される。そして、第１の押圧部５１ａおよび第２の押圧部５１ｂは、この支持軸５２の軸線を中心軸として揺動可能に支持される。こうして、操作スイッチ５は、ケーシング内の所定の位置に位置決めされる。
【００３６】
嵌合部５３は、操作面部５１の背面側に形成され、第１の押圧部５１ａと第２の押圧部５１ｂとの境界を挟むように凹状に形成された部分である。嵌合部５３は、操作スイッチ５に施された動作を動力伝達部材３１に伝達する部分であり、この凹状に窪んだ空間に動力伝達部材３１の一部（後述の被操作部３１ｃ）が嵌め合わされる。そして、操作面部５１の押圧を受けて支持軸５２が回動し、嵌合部５３を構成する押圧壁５３ａ、５３ｂ（図６、図８参照）の傾きが変化することにより、押圧壁５３ａ、５３ｂは、動力伝達部材３１の被操作部３１ｃを押圧する。
【００３７】
動力伝達部材３１は、基部材３１ｅと、被操作部３１ｃと、回動軸３１ｄと、突出部３１ａ、３１ｂとを含む。
【００３８】
基部材３１ｅは扁平な長尺の部材である。基部材３１ｅは、収容箱２の一方の短辺側に配置され、両端を収容箱２の対向する一対の長辺側へ向けて配置される。
【００３９】
被操作部３１ｃは、基部材３１ｅの略中央部前面側に突出して形成されている。動力伝達部材３１および操作スイッチ５が収容箱２の所定の位置に配備されると、被操作部３１ｃは、操作スイッチ５の嵌合部５３に嵌り込んだ状態になる（図６参照）。
【００４０】
回動軸３１ｄは、基部材３１ｅの長手方向中央部分であって、背面側に円柱状に突出して形成されている。被操作部３１ｃは、この回動軸３１ｄの中心に対して偏心した位置に形成されている（図５、図７参照）。回動軸３１ｄは、収容箱２に形成された軸装着孔２ａ（図６参照）に回動可能に挿入される。これによって、動力伝達部材３１の位置決めがなされる。操作スイッチ５が作動すると、被操作部３１ｃに加わった力を受けて、基部材３１ｅは回動軸３１ｄの回動中心線Ａｘ１を中心として、所定の角度だけ回転する。
【００４１】
突出部３１ａ、３１ｂは、それぞれ、基部材３１ｅの両端部に、前面側に突出して円柱状に形成されている。この突出部３１ａは、第１の往復運動部材３２と係合して、突出部３１ｂは、第２の往復運動部材３３と係合して、第１の往復運動部材３２および第２の往復運動部材３３を、動力伝達部材３１の回転運動に連動させる。すなわち、操作スイッチ５が押圧されると、動力伝達部材３１の基部材３１ｅおよび基部材３１ｅの突出部３１ａ、３１ｂが回動軸３１ｄを中心に回転し、この回動に伴って、突出部３１ａに係合した第１の往復運動部材３２および突出部３１ｂに係合した第２の往復運動部材３３が、直線運動する。
【００４２】
第１の往復運動部材３２および第２の往復運動部材３３は、図３および図４に示されるように、長尺部材３２ａ、３３ａと、係合柱３２ｂ、３３ｂと、連結部３２ｃ、３３ｃとを含む。
【００４３】
長尺部材３２ａ、３３ａは、長尺扁平な部材である。そして、これら長尺部材３２ａ、３３ａが互いに平行な状態になるように、第１の往復運動部材３２および第２の往復運動部材３３が収容箱２の対向する一対の長辺に沿った状態で収容箱２内に配置される。そして、動力伝達部材３１の回転運動を受けて、長尺部材３２ａは、その長手方向に直線的に往復運動する。
【００４４】
係合柱３２ｂ、３３ｂは、長尺部材３２ａ、３３ａの前面側に、所定の間隔（各シート４１、４２に形成された一対の係合孔４１ａ、４２ａの間隔と同じ間隔）を空けて形成された柱状の部分である。第１の往復運動部材３２に形成された係合柱３２ｂは、第１シート４１の係合孔４１ａに挿入されて、第１シート４１群を係止する。このとき、両端の係合柱３２ｂを除く各係合柱３２ｂには、隣り合う２枚の第１シート４１が係合するように配備される。また、第２の往復運動部材３３に形成された係合柱３３ｂは、第２シート４２の係合孔４２ａに挿入されて、第２シート４２群を係止する。このとき、両端の係合柱３３ｂを除く各係合柱３３ｂには、隣り合う２枚の第２シート４２が係合するように配備される。これによって、第１の往復運動部材３２の直線運動とともに、第１シート４１群が一斉にスライド移動し、また、第２の往復運動部材３３の直線運動とともに、第２シート４２群が一斉にスライド移動する。
【００４５】
連結部３２ｃ、３３ｃは、長尺部材３２ａ、３３ａと動力伝達部材３１とを連結するための部分であり、長尺部材３２ａ、３３ａの一方の端に形成されている。連結部３２ｃ、３３ｃには、動力伝達部材３１の突出部３１ａ、３１ｂを係合させるための連係孔３２ｃ１、３３ｃ１が形成されている。この連係孔３２ｃ１、３３ｃ１は、平面視で長円形を呈している。連係孔３２ｃ１、３３ｃ１がこのような形状を呈していることで、基部材３１ｅの回動に伴う突出部３１ａ、３１ｂの第１の往復運動部材３２、第２の往復運動部材３３に対する移動が許容される。第１の往復運動部材３２、第２の往復運動部材３３は、連結部３２ｃ、３３ｃが形成された端部を基部材３１ｅが配置された側へ向けて、連結部３２ｃを基部材３１ｅの突出部３１ａに対して係合させて、連結部３３ｃを基部材３１ｅの突出部３１ｂに対して係合させて、収容箱２内に配置される。こうして、第１の往復運動部材３２および第２の往復運動部材３３の双方が、基部材３１ｅの回転運動（すなわち突出部３１ａ、３１ｂの移動）に連動して、互いに反対方向に直線運動するように配備される。
【００４６】
この表示板１００の動作について、以下で、図面を用いて詳細に説明する。
【００４７】
図５は、表示板の内部構造を説明するための平面図であり、開口７ａを通じて表示される第１シート４１が第２シート４２の上面を覆っている状態を示す。図６は、図５の状態におけるＶＩ−ＶＩ線断面図であり、カバー７と操作スイッチ５とが設けられた状態を示す。図７は、開口７ａを通じて表示される第１シート４１が第２シート４２の下面に隠れるように往復運動部材３２、３３をスライドさせた状態を示す。図８は、図７の状態におけるＶＩＩＩ−ＶＩＩＩ線断面図であり、カバー７と操作スイッチ５とが設けられた状態を示す。
【００４８】
まず、操作者が、操作スイッチ５の第２の押圧部５１ｂを押圧し、図６に示される状態から図８に示される状態にすると、動力伝達部材３１の被操作部３１ｃは、操作スイッチ５の嵌合部５３の押圧壁５３ａによって押圧される。そして、動力伝達部材３１は、回動軸３１ｄの中心Ａｘ１を中心として、所定の角度だけ回転する。このとき、動力伝達部材３１の突出部３１ａ、は、基部材３１ｅの回動に伴って、Ｘ２方向（図５および図７参照）に移動し（厳密には回動し）、また、突出部３１ｂは、基部材３１ｅの回動に伴って、Ｘ１方向（図５および図７参照）に移動する（厳密には回動する）。また、突出部３１ａの動きに連動して、第１の往復運動部材３２がＸ２方向へ所定のストロークＳｔ１だけスライドし、突出部３１ｂの動きに連動して、第２の往復運動部材３３がＸ１方向へ所定のストロークＳｔ１だけスライドする。つまり、第１シート４１群および第２シート４２群は、それぞれ、シート群の列に沿った方向にスライド移動する。
【００４９】
このストロークＳｔ１は、各シート４１、４２の短辺側の長さのおよそ半分程度の長さである。
【００５０】
図９は、第１シート４１群の動きと第２シート４２群の動きとを説明するための断面図であり、（ａ）は第１シート４１群が第２シート４２群の上面を覆っている状態を示し、（ｂ）は往復運動部材３２、３３がスライドして第１シート４１群が第２シート４２群の下面に隠れた状態を示す。
【００５１】
先に説明したように、第１の往復運動部材３２および第２の往復運動部材３３が互いに反対方向に所定のストロークＳｔ１だけスライドすると、第１シート４１群および第２シート４２群の双方が互いに反対方向にスライドする。このように、双方のシート４１、４２群をスライドさせることにより、隣接する第１シート４１の間から第２シート４２を相対的に進退させる。第２シート４２の進出状態では、第２シート４２により、隣接する第１シート４１のうち進出方向に位置する第１シート４１が覆い隠される。すなわち、図９（ａ）および図９（ｂ）に示されるように、スライド前に第２シート４２群上を覆っていた第１シート４１群が、第２シート４２の下側に隠れ込んで、言い換えれば、第２シート４２が、各第２シート４２の進行方向に位置する各第１シート４１上に露出して、表示状態が白色から赤色に変化する。すなわち、隣り合う第１シート４１の間の隙間から、第２シート４２が進退し、加えて、隣り合う第２シート４２の間の隙間から、第１シート４１が進退し、最前面に現われるシートの種類が変更される。このように、背景シート４の色が白色から赤色に変化すると、クリアパネル６に貼り付けられた白色の文字列は、赤色の背景によってくっきりと浮かび上がり、強調されて表示される（図２参照）。
【００５２】
本実施の形態のように、第１の往復運動部材３２および第２の往復運動部材３３の双方を反対方向にスライドさせることで、一方の往復運動部材のみをスライドさせる場合よりも、背景シート４の表示状態を切り替えるためのストロークＳｔ１をさらに短く設定することができる。すなわち、表示板１００全体を、一層コンパクトに構成することができる。しかも、スライドストロークが短いので、比較的操作量が小さい押圧動作によっても表示部４の表示状態を機械的構成だけで切り替えることができる。
【００５３】
（実施の形態２）
実施の形態１の表示板が、操作スイッチ５の押圧動作によって、第１の往復運動部材３２および第２の往復運動部材３３の双方をスライドさせることで、背景シート４の表示状態を切り替える形態であったのに対し、第２の実施の形態の表示板は、操作スイッチ５のスライド動作によって、一方の往復運動部材３２’のみをスライドさせることで、背景シート４の表示状態を切り替える形態である。
【００５４】
図１０および図１１は、実施の形態２の表示板の内部構造を説明するための平面図であり、図１０は、第１シート４１群が第２シート４２群の上面を覆った状態を示し、図１１は、第１シート４１が第２シート４２の下面に隠れるように第１の往復運動部材３２’をスライドさせた状態を示す。
【００５５】
具体的には、図１０および図１１に示されるように、実施の形態２の切替機構３は、第１の往復運動部材３２’と、第２の往復運動部材３３’と、操作スイッチ（操作部）５とを含む。また、実施の形態２では、操作スイッチ５が、第１の往復運動部材３２’の長尺部材３２ａ’と一体に形成されている。すなわち、実施の形態２の切替機構３は、操作を受ける部分である操作部分（操作スイッチ５）と、背景シート４１、４２群を支持する支持部分（第１の往復運動部材３２’および第２の往復運動部材３３’）とにより構成されており、実施の形態１のような変換部分が省略されている。
【００５６】
実施の形態２の第１の往復運動部材３２’および第２の往復運動部材３３’は、実施の形態１の第１の往復運動部材３２および第２の往復運動部材３３と、連結部３２ｃ、３３ｃが形成されていないという点で異なる。また、実施の形態２の第２の往復運動部材３３’は、収容箱２内の所定の位置に位置決めされた状態で固定されているという点で、実施の形態１の第２の往復運動部材３３と異なる。
【００５７】
実施の形態２の操作スイッチ５は、第１の往復運動部材３２’の長尺部材３２ａ’の長手方向に沿って形成されている。操作スイッチ５は、第１の往復運動部材３２’の長尺部材３２ａから延出して形成された延出部５０ａと、延出部５０ａの前面側に突出して形成され、操作時に操作者がつまむ部分となるつまみ部５０ｂとを含む。つまみ部５０ｂは、カバー７が設けられたときに、カバー７に第１の往復運動部材３２’のスライド方向に沿って長孔状に形成された開口から、外方へ突出した状態になる。
【００５８】
ここで、実施の形態２の表示板の動作について、図面を用いて説明する。
【００５９】
まず、操作者が操作スイッチ５のつまみ部５０ｂをつまんで、Ｘ２方向へ所定のストロークＳｔ２だけスライド移動させると、操作スイッチ５と一体に形成された第１の往復運動部材３２’もまた、操作スイッチ５とともにＸ２方向へ所定のストロークＳｔ２だけスライド移動する（図１０、図１１参照）。
【００６０】
このストロークＳｔ２は、各シート４１、４２の幅（短辺側の長さ）よりも、やや短い程度の長さである。
【００６１】
こうして、第１の往復運動部材３２’がＸ２方向に所定のストロークＳｔ２だけスライド移動すると、第１シート４１群がＸ２方向にスライドする。このように、一方のシート４１群をスライドさせることにより、隣接する第１シート４１の間から第２シート４２を相対的に進退させる。第２シート４２の進出状態では、第２シート４２により、隣接する第１シート４１のうち進出方向に位置する第１シート４１が覆い隠される。すなわち、図１１に示されるように、スライド前に第２シート４２群上を覆っていた各第１シート４１が、第２シート４２の下側に隠れ込んで、つまり、各第２シート４２が、各第２シート４２の進行方向に位置する各第１シート４１上に露出して、表示状態が白色から赤色に変化する。言い換えれば、隣り合う第２シート４２の間の隙間から、第１シート４１が進退することで、最前面に現われるシートの種類が変更される。このように背景シート４の色が白色から赤色に変化すると、クリアパネル６に貼り付けられた白色の文字列は、赤色の背景によってくっきりと浮かび上がり、強調されて表示される（図２参照）。
【００６２】
実施の形態２の表示板によれば、表示状態を切り替えるためのストロークＳｔ２は実施の形態１のストロークＳｔ１に比べて長くなるものの、操作スイッチ５のスライド動作を直接的に第１の往復運動部材３２’に伝達してシート群をスライドさせることができるので、操作スイッチ５を含む切替機構３の構造を単純化することができるという利点がある。
【００６３】
以上の実施の形態によれば、表示部４は、隣接する端部が平面視において一部重なる態様で列状に並べられた短冊状の複数の第１シート４１と、この各第１シート４１の背面側にそれぞれ配置され、隣接する端部が平面視において一部重なる態様で列状に並べられた短冊状の複数の第２シート４２とを備えるので、少なくとも２種類の表示状態をこれらの第１または第２シート４１、４２により領域を分割して表示させることができる。そして、切替機構３は、第１シート４１および第２シート４２のうち少なくとも一方を、他方に対して前記列方向にスライド可能に支持し、この一方のシートをスライドさせることにより、隣接する第１シート４１の間から第２シート４２を相対的に進退させるように構成されているとともに、この第２シート４２の進出状態では第２シート４２により前記隣接する第１シート４１のうち進出方向に位置する第１シート４１を覆い隠すように構成されているので、前記分割構成された表示状態を分割された領域毎に表示状態を切り替えることができる。すなわち、第１シート４１が前面に露出する第１の表示状態と、第２シート４２が前面に露出する第２の表示状態を、それぞれ各シートに対応する領域毎に分割して構成することができ、この領域毎に表示状態を切り替えることができる。
【００６４】
このため、表示部４によって表示される領域が比較的広くても、この領域の一端から他端にかけて順次表示状態を切り替える必要がなく、各短冊状のシートに対応する領域毎に表示状態を切り替えるので、スライドストロークが短くて済み、表示状態が１枚のシートから構成される従来の表示板に比べて、小さい操作量で表示状態を切り替えることができる。しかも、短冊状の第２シート４２が同じく短冊状の第１シート４１の背面側に配置することができるので、第２シート４２の隠蔽のための空間を比較的小さくすることができ、コンパクトに構成することができる。すなわち、表示部４の表示状態を短冊状の第１および第２シート４１、４２により構成するという簡単な構成で、コンパクトかつ小さい操作量で表示状態を切り替え可能な表示板を構成することができる。
【００６５】
なお、上記実施の形態では、クリアパネル６に文字列を表示させた形態について説明したが、本発明はこれに限定されるものではなく、背景シート４に文字列を表示させる形態であってもよい。たとえば、第１シート４１群で、「使用中」という文字列を表示させて、第２シート４２群で、「空室」という文字列を表示させてもよい。ここで、文字列は、いずれの場合もとくに限定されるものではなく、使用に応じて適宜選択される。
【００６６】
また、上記実施の形態では、操作スイッチ６の押圧操作またはスライド操作を受けて切替機構３が作動する形態について説明したが、本発明はこれに限定されるものではなく、たとえば、回転操作や引っ張り操作を受けて、切替機構を作動させるような形態であってもよい。
【００６７】
また、上記実施の形態では、第１シート４１群と第２シート４２とで、第１の表示状態と第２の表示状態とが切り替えられて表示される形態について説明したが、本発明はこれに限定されるものではなく、たとえば、第１シート群、第２シート群に加えて第３シート群を用いて、第１の表示状態、第２の表示状態および第３の表示状態が切り替えられて表示される形態であってもよい。
【００６８】
また、上記実施の形態では、第１シート群の色と第２シート群の色とを異ならせて、第１の表示状態における背景シートの色と、第２の表示状態における背景シートの色とを切り替えた形態について説明したが、本発明はこれに限定されるものではなく、第１シート群に施される模様と第２シート群に施される模様とを異ならせて、第１の表示状態における背景シートの模様と、第２の表示状態における背景シートの模様とを切り替える形態であってもよい。
【符号の説明】
【００６９】
３  切替機構
４  表示部
４１、４１’  第１シート
４２、４２’  第２シート
５  操作スイッチ（操作部）
１００  表示板
【図１】
2011059627.tif 000003
【図２】
2011059627.tif 000004
【図３】
2011059627.tif 000005
【図４】
2011059627.tif 000006
【図５】
2011059627.tif 000007
【図６】
2011059627.tif 000008
【図７】
2011059627.tif 000009
【図８】
2011059627.tif 000010
【図９】
2011059627.tif 000011
【図１０】
2011059627.tif 000012
【図１１】
2011059627.tif 000013